(57)【特許請求の範囲】
【請求項１】
ロープに吊り下げられた貝、昆布、網篭、差し網のいずれかの被洗浄物（３）を搬送する搬送体（１）と搬送体（１）で搬送される被洗浄物（３）を搬送体（１）側に押す押し具（２）とが上下に対向して配置され、搬送体（１）と押し具（２）の近くに搬送体（１）と押し具（２）の間を通過する被洗浄物（３）に洗浄液を吹き付けて被洗浄物（３）を洗浄する洗浄具（４）が筺体（１４）内に収容され、筺体（１４）には被洗浄物（３）が導入される入口（１５）と被洗浄物（３）が送り出される出口（９）が形成され、筺体（１４）のうち入口（１５）と出口（９）との間の側面（１４ａ）に側面導入口（１７）が形成され、側面導入口（１７）は被洗浄物（３）を筺体（１４）の側面（１４ａ）から筺体（１４）内に出し入れできるように入口（１５）と出口（９）に連通して横向きに形成され、側面導入口（１７）に多数本の繊維状のカーテン材を縦に配列した洗浄液飛散防止カーテン（１９）を設けて、筺体（１４）内で被洗浄物（３）に噴射される洗浄液や被洗浄体から洗い落された汚物が側面導入口（１７）から外側に飛散しないようにし、出口（９）より外側に被洗浄物（３）を外部に送り出す出口側案内体（１２）を設け、出口側案内体（１２）は駆動体により強制回転可能であることを特徴とする洗浄装置。
【請求項２】
請求項１記載の洗浄装置において、筺体（１４）の出口（９）より外側に被洗浄物（３）を外部に排出するシュータ（１０）を設け、シュータ（１０）に、又はその近くに出口側案内体（１２）を設けたことを特徴とする洗浄装置。
【請求項３】
請求項１又は請求項２記載の洗浄装置において、洗浄装置の出口（９）より外側に、網篭、ロープ等から落下する被洗浄物（３）を受けて外部に送り出す回収受け具（１１）を設けたことを特徴とする洗浄装置。
【請求項４】
請求項１又は請求項２記載の洗浄装置において、シュータ（１０）に、網篭、ロープ等から落下する被洗浄物（３）を受けて外部に送り出す回収口（４６）を設けたことを特徴とする洗浄装置。
【請求項５】
請求項１乃至請求項４のいずれかに記載の洗浄装置において、筺体（１４）の入口（１５）の外側に、海中から引き上げる被洗浄物（３）をガイドする回転案内体（１３）を設け、この回転案内体（１３）が搬送体（１）の走行回転と同期回転することを特徴とする洗浄装置。
【発明の詳細な説明】
【０００１】
【発明の属する技術分野】
本発明はロープに吊下げて耳吊り養殖した帆立貝、あこや貝、牡蠣、或は網篭に入れて海中で養殖した貝や昆布、海中に吊したロープや網等に付着している汚れ等々を液体で洗浄除去するのに使用される洗浄装置に関するものであり、陸上で使用できるのは勿論のこと、船に搭載して船上で洗浄するのに特に適するものである。
【０００２】
【従来の技術】
帆立貝、あこや貝、牡蠣等の一部は耳吊り養殖されている。養殖は貝の耳に開けた孔に樹脂製のてぐすや係止ピンを通し、そのてぐすや係止ピンを縦ロープに間隔をあけて差し込んで係止し、その縦ロープを海中の水面近くに横向きに張った横ロープに係止して海中に吊下げて行われる。
【０００３】
耳吊り養殖では貝を海中に吊しておく間に、貝の表面にムラサキイガイとか他の貝、或は海草や海中の塵芥、生物等が付着する。これらが付着すると貝の成長に好ましくなく、また、出荷時には汚れて体裁が悪いので、養殖の途中で貝を海から引上げて洗浄して汚れや付着物を除去している。貝を網篭に入れて海中で養殖する場合も、その網篭や貝に前記のような塵芥、生物等が付着するため、海から引上げて洗浄している。
【０００４】
耳吊り養殖中の貝を洗浄する場合、従来は図１３、１４に示すような洗浄装置が使用されていた。図１３の洗浄装置は船舶に搭載して使用するものであり、貝Ａが係止されている縦ロープＢを海中Ｃから回転案内体Ｄに添って引上げ、その縦ロープＢを貝Ａがついたまま網製の搬送コンベアＥの上に送り込むと、縦ロープＢ及び貝Ａが搬送コンベアＥとその上の櫛状の押し具Ｆとの間に挟まれて図の右側に搬送され、その間に搬送コンベアＥの内側に配置された回転ノズルＧから高圧洗浄液（例えば海水）が噴射されて、縦ロープＢ及び貝Ａの表面が洗浄されるようにしてある。
【０００５】
図１４の洗浄装置も船舶に搭載して使用するものであり、図１３の場合と同様に貝Ａが係止されている縦ロープＢを海中Ｃから回転案内体Ｄに添って引上げ、その縦ロープＢを貝Ａがついたまま網製の搬送コンベアＥとその上の網製の押しコンベアＨとの間に送り込むと、縦ロープＢ及び貝Ａが両コンベアＥ、Ｈ間に挟まれて図の右側に搬送され、その間に夫々のコンベアＥ、Ｈの内側に配置された回転ノズルＧから高圧洗浄液が噴射されて、縦ロープＢ及び貝Ａの表面が洗浄されるようにしてある。
【０００６】
【発明が解決しようとする課題】
図１３、１４の洗浄装置は大型で、重いため、船に積みにくいとか、船から降ろしにくいとか、設置に場所をとるといった不都合があった。また、海中から引上げた貝が洗浄中にロープから外れたり、欠けたり、割れたりすることがあった。
【０００７】
本発明の目的は小型、軽量化が可能であり、貝への付着物の除去や貝の洗浄力に優れ、耳吊り養殖の貝だけでなく、網篭に入れて海中に吊して養殖した貝を網篭ごと洗浄したり、差し網等を洗浄したり、海中から採取した昆布等を洗浄したり、海中に吊したロープや網等を洗浄したりすることができる多用途の洗浄装置を提供することにある。本発明の他の目的は洗浄中に被洗浄物が損傷したり、ロープから脱落したり、網篭から飛出したりすることもなく、仮に、外れたり、飛出したりしてもそれらを回収でき、洗浄済の被洗浄物を海中に円滑且つ自動的に投入することができるようにした洗浄装置を提供することにある。
【０００８】
【課題を解決するための手段】
請求項１記載の洗浄装置は、ロープに吊り下げられた貝、昆布、網篭、差し網のいずれかの被洗浄物３を搬送する搬送体１と搬送体１で搬送される被洗浄物３を搬送体１側に押す押し具２とが上下に対向して配置され、搬送体１と押し具２の近くに搬送体１と押し具２の間を通過する被洗浄物３に洗浄液を吹き付けて被洗浄物３を洗浄する洗浄具４が筺体１４内に収容され、筺体１４には被洗浄物３が導入される入口１５と被洗浄物３が送り出される出口９が形成され、筺体１４のうち入口１５と出口９との間の側面１４ａに側面導入口１７が形成され、側面導入口１７は被洗浄物３を筺体１４の側面１４ａから筺体１４内に出し入れできるように入口１５と出口９に連通して横向きに形成され、側面導入口１７に多数本の繊維状のカーテン材を縦に配列した洗浄液飛散防止カーテン１９を設けて、筺体１４内で被洗浄物３に噴射される洗浄液や被洗浄体から洗い落された汚物が側面導入口１７から外側に飛散しないようにし、出口９より外側に被洗浄物３を外部に送り出す出口側案内体１２を設け、出口側案内体１２は駆動体により強制回転可能としたものである。
【０００９】
請求項２記載の洗浄装置は、請求項１記載の洗浄装置において、筺体１４の出口９より外側に被洗浄物３を外部に排出するシュータ１０を設け、シュータ１０に、又はその近くに出口側案内体１２を設けたものである。
【００１０】
請求項３記載の洗浄装置は、請求項１又は請求項２記載の洗浄装置において、洗浄装置の出口９より外側に、網篭、ロープ等から落下する被洗浄物３を受けて外部に送り出す回収受け具１１を設けたものである。
【００１１】
請求項４記載の洗浄装置は、請求項１又は請求項２記載の洗浄装置において、シュータ１０に、網篭、ロープ等から落下する被洗浄物３を受けて外部に送り出す回収口４６を設けたものである。
【００１２】
請求項５記載の洗浄装置は、請求項１乃至請求項４のいずれかに記載の洗浄装置において、筺体１４の入口１５の外側に、海中から引き上げる被洗浄物３をガイドする回転案内体１３を設け、この回転案内体１３が搬送体１の走行回転と同期回転するものである。
【００１３】
【００１４】
【００１５】
【発明の実施の形態】
（実施形態１）
本発明の洗浄装置の第１の実施形態を図１〜図１２に基づいて説明する。この実施形態は図１に示すように被洗浄物３が耳吊り養殖用の縦ロープ２０に帆立貝２１が取り付けられたものの場合である。この洗浄装置は被洗浄物３を搬送する無端コンベア状の搬送体１の上方に無端コンベア状の押し具２が対向して配置されて、両者の間に通路９５が形成され、搬送体１の下方と押し具２の上方とに洗浄具４が設けられ、その洗浄具４から通路９５を通過する被洗浄物３に高圧の洗浄液を噴射して被洗浄物３を洗浄するものである。
【００１６】
搬送体１は図６に示す搬送体駆動機構２２の外周に、図７に示す金属製の網状の走行体２３を図３、図５に示す様に巻き付けて回転可能としてある。この搬送体駆動機構２２は駆動軸２４の軸方向両端寄りと中央に駆動スプロケット２５が固定された駆動回転体２６と、従動軸２７の軸方向両端寄りと中央に従動スプロケット２８が回転可能に取り付けられた従動回転体２９と、駆動回転体２６と従動回転体２９との間に配置された走行体ガイド３０とから構成されている。従動スプロケット２８の径は駆動スプロケット２５の径よりも小さくしてある。走行体ガイド３０は底板のない長方形の箱状であり、上板３１の中央部に開口部３２が開口されている。
【００１７】
網状の走行体２３は図７（ａ）（ｂ）に示すように、細長板により同じ大きさの矩形の波形に形成された金属製の走行部材３４を多数本用意し、二つの走行部材３４の波の山部３５を波の空間部３６の内側に嵌合させ、嵌合した二つの走行部材３４に図７（ｂ）に示す様に開けられている通孔３７に連結軸３８を貫通させて嵌合部３９を回動可能に連結し、この連結の繰り返しにより多数本連結して網状にしてある。前記通孔３７は横長であり、それに連結軸３８を差し込んで連結しても走行部材３４は連結軸３８を軸にして回動したり、横方向にスライドしたりできるようにしてある。一本の走行部材３４の山部３５の数は図示した数より多くても少なくてもよく、多い場合は網状の走行体２３の幅が広くなり、少ない場合は走行体２３の幅が狭くなる。また、連結する走行部材３４の本数も図示した本数より多くても少なくてもよく、多い場合は走行体２３の長さが長くなり、少ない場合は走行体２３の長さが短くなる。
【００１８】
図７に示す走行体２３は図６の駆動スプロケット２５と走行体ガイド３０と従動スプロケット２８の外周に図３、図５の様に巻いて被せ、走行体２３の波の空間部３３内にそれらスプロケット２５、２８の爪（歯）を嵌入させ、走行体２３の両端部を連結して無端コンベア状の搬送体１としてある。
【００１９】
前記走行体２３の下には図５に示す様にローラ状の底面支持具４０を配置して走行体２３の底面を上方に押し上げて走行体２３に張りをもたせる（テンションを付与する）と共に当該底面が下方へ垂れ下がるのを防止してある。
【００２０】
図５の搬送体１は駆動軸２４をモータ等の駆動源により回転させると駆動軸２４と共に駆動スプロケット２５も回転し、その回転に伴って走行体２３が回転し、更に、従動スプロケット２８が回転して、走行体２３が駆動スプロケット２５と走行体ガイド３０と従動スプロケット２８の外周を走行回転するようにしてある。
【００２１】
搬送体１は図１、図２に示す様に筐体１４内に収容されている。この場合、図５の駆動軸２４を筐体１４内の下部前方に回転可能に取り付け、従動軸２７を同筐体１４内の下部後方に固定する。走行体ガイド３０は図２に仮想線で示す様に筐体１４内の下部で且つ前記駆動軸２４と従動軸２７との間にビスとかボルト・ナット等の留め具４１により固定されている。
【００２２】
押し具２は図８（ａ）に示す押し具駆動機構５０の外周に図７に示す走行体２３を図３、図４に示すように巻き付けてなる。
【００２３】
図８（ａ）に示す押し具駆動機構５０は後方従動軸５４に後方従動スプロケット５５が回転可能に取り付けられた後方従動回転体５６と、前方従動軸５７に前方従動スプロケット５８が回転可能に取り付けられた前方従動回転体５９が二枚の平行なガイド板６１間に固定され、駆動軸５１に駆動スプロケット５２が固定された駆動回転体５３が二枚の平行な前板６３間に回転可能に取り付けられている。二枚の平行なガイド板６１間には細長板状の先方補強材６２が渡され、二枚の平行な前板６３間には前方補強材６６が渡されている。
【００２４】
後方従動軸５４は図８（ａ）（ｂ）の様にガイド板６１の後端寄りに開口されている横長孔６７に差し込まれて前後にスライド自在としてある。ガイド板６１の後端寄り外面には、内面にねじ孔が形成されたブラケット６９が取り付けられており、そのブラケット６９にボルト７０がねじ込まれてボルト７０の先端面が横長孔６７から外側に突出した後方従動軸５４の突出端部に突き当てられている。このボルト７０をねじ込んで図８（ｂ）の右側に移動させると後方従動軸５４が同方向に押されて横長孔６７に沿って先方にスライドし、図４の様に被せられている走行体２３の先端部が先方に押されて走行体２３に張り（テンション）が付与され、ボルト７０を逆回転させて後退させると後方従動軸５４へのボルト７０の押し付けが緩み、走行体２３の張りが緩む様にしてある。
【００２５】
前記前方従動軸５７の両端部はガイド板６１の前端寄りに開口されている丸孔に差し込んで固定してある。
【００２６】
前記駆動軸５１は前板６３の前端に開口されている丸孔に回転可能に込まれていある。前板６３の後端部はガイド板６１の前端部外側に回動可能に配置され、その後端部に開口されている丸孔（図示されていない）に、ガイド板６１よりも外側に突出した前方従動軸５７の突出端部が差し込まれている。
【００２７】
図８（ａ）に示す様に前板６３の後端部両外側には支持アーム７１が上方に突出するように取り付けられている。この場合、支持アーム７１はその下端部に開口されている丸孔（図示されていない）に、前板６３の外側に突出した前方従動軸５７の両端部が差し込まれて支持され、支持アーム７１から外側に突出した前方従動軸５７の両端部にナット６４を螺合して、重合されたガイド板６１の前端部と前板６３の後端部と支持アーム７１の下端部とを一緒にとめて、それら三者が図８（ａ）の矢印Ａ−Ａ方向に回動して、前板６３が上方に起き上がってく字状に曲がったり、左に倒れたりするようにしてある。
【００２８】
対向する二つの支持アーム７１間には、押えスプロケット７３が回転自在に取り付けられた押え軸７２が取り付けられて、図８（ａ）の押し具駆動機構５０の外周に巻かれた走行体２３が二つの押えスプロケット７３により上から下に押し付けられるようにしてある。
【００２９】
図８（ａ）に示す様に、二枚の支持アーム７１の上端と、二枚の前板６３の先端に設けた係止リング７５との間にスプリング７６を張ってある。また、二枚の前板６３の外側下端寄りにはＬ字形のブラケット７７が取り付けられ、そのブラケット７７と筐体１４（図１）との間にスプリング７９が張られ、そのスプリング７９により二枚の前板６３の下端寄りが下方に引かれて押し具駆動機構５０の屈曲部９４の浮き上がりが阻止され、その屈曲部９４が搬送体１側に引き寄せられてその下を通過する被洗浄物３に圧接するようにしてある。
【００３０】
図８（ａ）の押し具駆動機構５０の外周に巻き付ける走行体２３は図７に示すものであり、搬送体１に使用された走行体２３と同じものである。この走行体２３は図８（ａ）の押し具駆動機構５０の駆動回転体５３と前方従動回転体５９と後方従動回転体５６の外周に巻き付けて、駆動スプロケット５２、後方従動スプロケット５５、前方従動スプロケット５８の爪（歯）を走行体２３の空間部内に嵌入させ、走行体２３の両端部を連結して無端コンベア状の押し具２を形成してある。
【００３１】
この押し具２は駆動軸５１がモータ等の駆動源により回転させられると駆動スプロケット５２が回転し、その回転により走行体２３（図４）が回転し、それにつれて後方従動スプロケット５５及び前方従動スプロケット５８が回転し、走行体２３（図４）が連続回転可能としてある。
【００３２】
押し具２は図１に示す様に筐体１４内に収容されている。この場合、図５の駆動軸２４を筐体１４内の下部前方に回転可能に取り付け、それ以外は筐体１４に固定せずにフリーの状態にしてある。この場合、そのままでは押し具２の出口側が降下して搬送体１の上に接触してしまう。この接触を防止するために図１０、図１１に示すように出口側下限調節機構８０を設けてある。この出口側下限調節機構８０は図１０のように押し具２の出口側側面に設けたガイド板６１から外側に係止突子８１を突設し、この突子８１を筐体フレーム８２から内側に突設されたＬ字状のストッパー８３により支持して、ガイド板６１（押し具２の出口側）がそれより下がらないようにしてある。前記ストッパー８３は図１０、図１１に示す筐体フレーム８２の縦長孔８４に昇降スライド可能に取り付けて、ナット８６の螺合を緩めるとボルト８５が縦長孔８４に沿って上下にスライドして高さ調節できるようにしてある。
【００３３】
押し具２の駆動軸５１は図１１に示す様に軸受８７の内部に挿入されて円滑に回転できるようにしてあるが、駆動軸５１と軸受８７との間の摺動面に塵芥が噛み込まれて滑りが悪くなると、駆動軸５１が図１１の矢印Ｘ方向に回転するときに屈曲部９４が上方に浮き上がることがある。また、何らかの原因により屈曲部９４が上方に押し上げられることがある。この場合、屈曲部９４が上昇し過ぎると図３の様に押し具２の上方に配置されている洗浄具４に押し具２が接触するおそれがある。また、押し具２の入口側が上昇し過ぎて搬送体１との間の間隔が広くなり過ぎてしまい、押し具２の押し部６による被洗浄物３の押えが緩くなったり、押えがきかなくなったりすることがある。この上昇し過ぎを防止するために図１１に示す様に上動規制調節機構８８を設けてある。
【００３４】
前記上動規制調節機構８８は押し具２の支持アーム７１から上方に細長の係止材８９を突設し、その係止材８９の上端部に取り付けた引きバネ９０を右下方（矢印Ｙ方向）に引き下げて、押し具２の屈曲部９４が浮き上がり過ぎるのを防止できる様にしてある。また、図１１の係止材８９が引きバネ９０により矢印Ｙ方向に強く引かれ過ぎないようにするために引き下げ規制調節機構９１をも設けてある。この引き下げ規制調節機構９１は筐体フレーム８２にボルト９２を貫通させ、そのボルト９２の先にナット９３をダブルに螺合し、その先に緩衝スプリング１００を被せてある。このような構造とすることにより引きバネ９０により矢印Ｙ方向に引き下げられた係止材８９がボルト９２の先端に当ると、係止材８９がそれ以上は引き下げられず、押し具２の屈曲部９４が必要以上に降下しないようにしてある。
【００３５】
図１に示す押し具２は導入部５を上方に起き上がらせてあり、また、導入部５の先端部７を搬送体１の先端部（搬送体先端部）８よりも搬送方向先方（図の右側）に位置をずらしてある。導入部５の側先端部７は搬送体先端部８と同じ位置にすることもできる。
【００３６】
搬送体１により搬送されてくる被洗浄物３が図１の押し具２との間を通過する場合、押し具２の動作は図９（ａ）〜（ｃ）のようになる。
１．図９（ａ）の押し具２の屈曲部９４と出口側の双方の下をほぼ同じ厚さの被洗浄物３が通過するときは、押し具２の押し部６がほぼ水平になる。
２．図９（ｂ）の様に搬送体１と押し具２との間の間隔よりも厚い被洗浄物３が押し具２の屈曲部９４の下を通過すると、屈曲部９４が押し上げられて押し具２の導入部５と押し部６とがやや右下がりの緩い傾斜になる。
３．前記の厚い被洗浄物３が図９（ｃ）のように押し具２の出口側の下に差し掛かって出口側が入口側よりも上方まで押し上げられると、押し具２は略く字状に屈曲する。
４．前記１〜３のいずれの場合も押し具２の屈折部上面は押えスプロケット７３により押し下げられて、走行体２３に常に張力（テンション）が付与される。
【００３７】
図１、図３の洗浄具４は搬送体１と押し具２との間の通路９５を通過する被洗浄物３に高圧洗浄液を噴射して洗浄するためのものであり、搬送体１の外側上方と押し具２の外側下方とに対向させて配置してある。この洗浄具４は図３に示す様に回転可能な給水パイプ９６から４本の分岐パイプ９７が分岐され、その先端に噴射ノズルが取り付けられており、給水パイプ９６が回転すると分岐パイプ９７及び噴射ノズルが回転して、被洗浄物３に万遍なく洗浄液が高圧で噴射されるようにしてある。この洗浄具４も筐体１４内に回転可能に取り付けられている。
【００３８】
図１、図２の筐体１４内の搬送体１、押し具２、洗浄具４等は筐体１４で被覆されている。筐体１４の下半分は筐体１４内で被洗浄物３を洗浄した汚水や洗浄により被洗浄物３から落下した付着物等を回収する回収容器を兼ねており、筐体１４の底からは排水路１８を外部に突設し、それに排水用のホースを接続して、前記汚水や付着物がその排水路１８から排水ホース内を通って外部に排出されるようにしてある。
【００３９】
また、筐体１４内には被洗浄物３を導入するための入口１５と被洗浄物３を送り出す出口１６とが開口されており（図２）、更に、筐体１４の側面には被洗浄物３を横から搬送体１と押し具２との間に出し入れするための側面導入口１７（図２）が開口され、それが入口１５と出口１６に連通させてある。この側面導入口１７があると貝が取り付けられている長い縦ロープ２０を洗浄作業の前に側面導入口１７から搬送体１と押し具２との間に出し入れすることができ、一々入口１５から出口１６に通す必要がないため、洗浄作業開始前の被洗浄物３のセッティングが容易になる。側面導入口１７の外側には多数本の繊維状のカーテン材を縦に配列した洗浄液飛散防止カーテン１９を設けて、高圧噴射される洗浄液が側面導入口１７から外側に飛散しないようにしてある。
【００４０】
搬送体１と押し具２の間の通路９５の出口よりも外側には、出口から送り出される被洗浄物３を案内する出口側案内体１２が配置されている。この出口側案内体１２は図３の様にポール状の横案内体９８とポール状の縦案内体９９とからなり、縦案内体９９は樋状のシュータ１０の上に立設されている。この縦案内体９９はシュータ１０に回転可能に取り付けてもよく回転しない様に固定してもよい。シュータ１０は先端側を下り傾斜にしてある。搬送体１の出口９とシュータ１０との間には回収受け具１１を配置してある、この回収受け具１１は洗浄中に縦ロープ２０から外れた帆立貝２１が搬送体１の出口９から落下する位置に配置して、その帆立貝２１を回収できるようにしてある。この回収受け具１１も樋状であり、先端に向けて下り傾斜にして、回収された帆立貝２１が自重で自動的に先端方向に落下して、その先に配置してある回収篭に落下して回収されるようにしてある。これらの出口側案内体１２、シュータ１０、回収受け具１１も筐体フレーム８２に取り付けられている。この場合、出口側案内体１２、シュータ１０、回収受け具１１は図１、２に示す筐体１４の出口１６よりも外側先方に取り付けて、本発明の洗浄装置を船上に搭載固定したときに、シュータ１０の出口が海上に突出するようにしてある。出口側案内体１２は横案内体９８と縦案内体９９のいずれか一方だけであってもよい。横案内体９８、縦案内体９９の取り付け箇所は、それらの機能が発揮される任意の位置に取り付けることができる。
【００４１】
図３の出口側案内体１２は図１２に示す様にすることもできる。この出口側案内体１２は下端部に丸テーブル４２が取り付けられポール４３を、樋状のシュータ１０の上に立設固定してある。このポール４３は上端部外周面に溝４４が設けられており、この溝４４に丸ベルト４５を掛けてモータ等の駆動体からの動力により回転させることができるようにしてある。シュータ１０にはその底板を下方に折り曲げて回収口４６を形成して、洗浄中に縦ロープ２０から外れた帆立貝２１はこの回収口４６から自重で落下し、その下に配置してある回収篭に回収されるようにしてある。出口側案内体１２、シュータ１０も筐体１４に取り付けられている。この場合、出口側案内体１２、シュータ１０は図１、２に示す筐体１４の出口１６よりも外側に取り付けて、本発明の洗浄装置を船上に搭載固定したときに、シュータ１０の出口が海上に突出するようにしてある。
【００４２】
図１、図３に示す様に搬送体１の手前外側には回転案内体１３が回転可能に設けられている。回転案内体１３は海中から引上げられる被洗浄物３を案内して、通路９５の入口にスムースに導入するためのものであり、円筒状の胴４７の軸方向両側に胴４７よりも径の大きな２枚の鍔４８を対向して設けてある。回転案内体１３もモータ等の駆動体で回転させる。この場合、回転案内体１３の回転速度を搬送体１の走行回転速度と同期させて、回転案内体１３の回転により海中から引上げられる被洗浄物３が搬送体１の入口にスムースに送り込まれるようにしてある。ちなみに、回転案内体１３と搬送体１との回転が同期せずに、回転案内体１３の回転速度が搬送体１の走行回転速度よりも速過ぎると、被洗浄物３がロープの場合はその送り込み量が多くなってロープが搬送体１の手前に溜って絡まり、逆に回転案内体１３の回転速度が搬送体１の走行回転速度よりも遅過ぎると、搬送体１によるロープの引込みが速くなり過ぎてロープが切れる虞れがある。搬送体１と回転案内体１３とを同期回転させるためには共通の駆動源で回転させるようにすればよい。この回転案内体１３も搬送体１、押し具２等が取り付けられている筐体フレームに取り付けられている。この場合、図１の様に筐体１４の入口１５よりも手前外側に取り付けて、本発明の洗浄装置を船上に搭載固定したときに海上に突出するようにしてある。
【００４３】
（使用例）
図示した実施形態の洗浄装置を用いて耳吊り養殖用の縦ロープに帆立貝が係止されている被洗浄物を洗浄するには例えば次の様にする。
１．本発明の洗浄装置を船舶に搭載して固定する。
２．図１のように、帆立貝２１が係止されている縦ロープ２０を海中から引上げて回転案内体１３の外周に掛ける。
３．回転案内体１３の外周に掛けた縦ロープ２０を筐体１４の側面に開口された側面導入口１７から搬送体１と押し具２との間に押込んでセットする。
４．モータの駆動により回転案内体１３、搬送体１、押し具２を同期回転させて、搬送体１と押し具２との間に挟まれている縦ロープ２０及び帆立貝２１を出口１６側に搬送する。
５．前記搬送中に、上下の洗浄具４から洗浄液を高圧で噴射して帆立貝２１及び縦ロープ２０を上下から洗浄する。このとき、帆立貝２１に付着しているムラサキイガイとか他の生物、或は塵芥等も除去される。
６．洗浄されて綺麗になった帆立貝２１及び縦ロープ２０は搬送体１と押し具２の出口から送り出され、図３の出口側案内体１２、或は図１２の駆動体により回転させられる出口側案内体１２によりシュータ１０の上にガイドされ、帆立貝２１のついた縦ロープ２０がシュータ１０から海中に投入される。
７．前記搬送中或は洗浄中に縦ロープ２０から外れた帆立貝２１は、シュータ１０の底面に設けられた回収口４６から落下して回収され、回収口４６の先に配置された回収容器に回収される。
８．洗浄により除去された付着物及び洗浄後の汚水は筐体１４内に落下して自動的に回収され、筐体１４の底の排出路１８から筐体１４の外部に排出され、図示されていないフィルターで濾過する等して処理される。
【００４４】
前記使用例において、押し具２は図９（ａ）に示す搬送体１と押し具２との間の通路９５を被洗浄物３が通過しないとき（通常時）とか、ほぼ同じ厚さの被洗浄物３が押し具２の屈曲部９４と出口側との両方を同時に通過するときは、押し具２の押し部６は略水平になっているが、図９（ｂ）の様に通路９５の間隔（上下の間隔）よりも厚い被洗浄物３が押し具２の屈曲部９４の下を通過すると、屈曲部９４が押し上げられて被洗浄物３は屈曲部９４の下を円滑に通過する。このとき屈曲部９４が押し上げられて伸びた分だけ押し具２の押し部６が先方（図の右側）にスライドするため被洗浄物３は屈曲部９４の下を円滑に通過する。被洗浄物３が押し具２の出口側にくると図９（ｃ）の様に出口側が押し上げられて被洗浄物３がその下を円滑に通過する。搬送体１と押し具２の回転走行速度が同じ場合は両者の間を通過する被洗浄物３が円滑に走行するが、両者の回転走行速度を多少異なると両者の間を通過する被洗浄物３に加わる抵抗が大きくなって、被洗浄物３の汚れが落ち易くなる場合もあるので、搬送体１と押し具２の走行速度は任意に選択するのがよい。
【００４５】
前記実施形態の洗浄装置は、搬送体と押し具の走行体の双方又は一方を細長板による波形の走行部材を回動可能に多数連結して網状としたので、強度が向上し、捩れたり、変形したり、損傷したりしにくくなり、被洗浄体の送りが確実になり、寿命も長くなる。搬送体と押し具との間の通路を通過する被洗浄物が滑りにくくなり、被洗浄物の送りがスムースになる。
【００４６】
前記実施形態の洗浄装置は、押し具が搬送体との間を通過する被洗浄物の厚さや通過位置に追随して上下に昇降可能であるため、被洗浄物が押し具により必要以上に強く押されることがなく、被洗浄物が搬送体と押し具の間を通過する間に欠けたり、割れたりしにくくなり、また、貝がロープから外れたりすることもない。
【００４７】
前記実施形態の洗浄装置は、押し具の導入部が上向きに配置され、導入部の搬送方向先方に押し部が装着軸により上下に回動自在に連結されてなるので、搬送体と押し具の間に被洗浄物が入り易くなる。
【００４８】
前記実施形態の洗浄装置は、押し具の前端部が搬送体の前端部よりも先方に位置をずらして上向きに配置されてなるので、搬送体と押し具との間に被洗浄物が入り易くなる。
【００４９】
前記実施形態の洗浄装置は、ロープから外れた被洗浄物を回収して外部に送り出す回収口を設けたので、ロープから落下した被洗浄物が確実に回収されて被洗浄物の無駄がない。また、被洗浄物を先方に案内する出口側案内体を設けたので、出口から送り出される被洗浄物が出口の先で絡まったりすることがない。シュータを設けたので被洗浄物がシュータから確実に海中に送り出される。
【００５０】
前記実施形態の洗浄装置は、搬送体の手前に回転案内体を設けたので、被洗浄物が搬送体と押し具との間に確実に送り込まれる。また、回転案内体が搬送体の走行回転と同期回転するので、被洗浄物が搬送体の入口に確実且つ円滑に送り込まれる。
【００５１】
前記実施形態の洗浄装置は、搬送体及び押し具を収納するケースが回収容器を兼ねているので、ケース内で被洗浄物を洗浄した汚れ洗浄液や被洗浄物から洗い落された汚物がそのケース内に確実に回収され、ケースに設けた排出路から外部に排出されるので作業場が汚れにくくなる。
【００５２】
【発明の効果】
請求項１記載の洗浄装置は、網篭内の貝、ロープに取り付けた貝、昆布等の被洗浄物３を洗浄する洗浄装置の出口９より外側に、被洗浄物３を外部に送り出す出口側案内体１２を設け、出口側案内体１２が駆動体により強制回転させられので、出口から送り出される被洗浄物３が出口の先で絡まったりすることがなく、円滑に送り出される。
【００５３】
請求項２記載の洗浄装置は、請求項１記載の洗浄装置において、洗浄装置の出口９より外側に被洗浄物３を外部に排出するシュータ１０を設け、シュータ１０に又はその近くに出口側案内体１２を設けたので被洗浄物３がシュータ１０から確実に海中に送り出される。
【００５４】
請求項３記載の洗浄装置は、請求項１又は請求項２載の洗浄装置において、洗浄装置の出口９より外側に、網篭、ロープ等から落下する被洗浄物３を受けて外部に送り出す回収受け具１１を設けたので、落下した被洗浄物３が回収受け具１１により回収されて無駄にならない。
【００５５】
請求項４記載の洗浄装置は、請求項１又は請求項２載の洗浄装置において、シュータ１０に、網篭、ロープ等から落下する被洗浄物３を受けて外部に送り出す回収口４６を設けたので、ロープから落下した被洗浄物３が確実に回収されて被洗浄物３の無駄がない。
【００５６】
請求項５記載の洗浄装置は、請求項１乃至請求項４のいずれかに記載の洗浄装置において、搬送体１の手前に被洗浄物３をガイドする回転案内体１３を設けたので、被洗浄物３が搬送体１と押し具２との間に確実に送り込まれる。また、回転案内体１３が搬送体１の走行回転と同期回転するので、被洗浄物３が搬送体１の入口に確実且つ円滑に送り込まれる。
【００５７】
請求項１記載の洗浄装置は、被洗浄物３を搬送する搬送体１と、搬送体１で搬送される被洗浄物３を搬送体１に押す押し具２と、搬送体１と押し具２との間の被洗浄物３に液体を噴射して被洗浄物３を洗浄する洗浄具４が筐体１４内に設けられ、筐体１４に形成された入口１５と出口１６との間の側面に、被洗浄物３を出し入れ可能な側面導入口１７を設け、側面導入口１７を入口１５と出口１６に連通させたので、被洗浄物３が貝付きロープの様に長い物の場合に、その先端部を洗浄作業に先立って手作業により、側面導入口１７から横にスライドさせて搬送体１と押し具２の間に導入してセットすることができる。このため、被洗浄物３を手作業により搬送体１と押し具２の入口から差し込んで搬送体１と押し具２の間を通して出口から引き出す必要がなく、洗浄作業開始前の準備が容易になる。
【００５８】
請求項１記載の洗浄装置は、側面導入口１７に多数本の繊維状のカーテン材を縦に配列した洗浄液飛散防止カーテン１９を設けたので、洗浄時の洗浄液や被洗浄物３から洗い落された汚物が側面導入口１７から外に飛散することがなく、作業者は勿論、洗浄装置、作業場等が汚れない。また、繊維状のカーテン材を使用してあるのでカーテンが柔らかくなり、被洗浄物３を側面導入口１７から搬送体１と押し具２との間に導入するときにカーテンが邪魔になることもない。
【図面の簡単な説明】
【図１】  本発明の洗浄装置の一例を示す縦断側面図。
【図２】  本発明の洗浄装置の外観斜視図。
【図３】  本発明の洗浄装置の分解説明図。
【図４】  本発明における押し具の一部切欠きの斜視図。
【図５】  本発明における搬送体の斜視図。
【図６】  本発明における搬送体駆動機構の分解説明図。
【図７】  （ａ）は本発明における走行体の平面図、（ｂ）は（ａ）の斜視図。
【図８】  （ａ）は本発明における押し具駆動機構の斜視図、（ｂ）は後方従動回転体のスライド機構の説明図。
【図９】  （ａ）〜（ｃ）は本発明の洗浄装置の使用時の異なる状態の説明図。
【図１０】  本発明における出口側下限調節機構の正面説明図。
【図１１】  本発明における上動規制調節機構と引き下げ規制調節機構の側面概略図。
【図１２】  出口側案内体の異なる例を示す斜視図。
【図１３】  従来の洗浄装置の説明図。
【図１４】  従来の洗浄装置の他例の説明図。
【符号の説明】
１  搬送体
２  押し具
３  被洗浄物
４  洗浄具
５  導入部
６  押し部
７  導入側先端部
８  搬送体先端部
９  出口
１０  シュータ
１１  回収受け具
１２  出口側案内体
１３  回転案内体
１４  筐体
１５  筐体入口
１６  筐体出口
１７  側面導入口
１８  排出路
１９  洗浄液飛散防止カーテン
２３  走行体
３４  走行部材
５０  駆動体駆動機構
９５  通路
【図１】
0003699702.tif 000002
【図２】
0003699702.tif 000003
【図３】
0003699702.tif 000004
【図４】
0003699702.tif 000005
【図５】
0003699702.tif 000006
【図６】
0003699702.tif 000007
【図７】
0003699702.tif 000008
【図８】
0003699702.tif 000009
【図９】
0003699702.tif 000010
【図１０】
0003699702.tif 000011
【図１１】
0003699702.tif 000012
【図１２】
0003699702.tif 000013
【図１３】
0003699702.tif 000014
【図１４】
0003699702.tif 000015